(57)【要約】【課題】選局されてから映像を表示するまでの時間を短縮する。【解決手段】ユーザが操作部を操作して選局動作を行うと、ＣＰＵ１６は、ステップＳ１において、番組情報データベースの中から選局された番組に関する番組情報が保持されているかどうかを検索する。検索の結果、対象となる番組の番組情報が保持されている場合には、処理がステップＳ２およびステップＳ４に移行し、ステップＳ２およびＳ３における画像処理と、ステップＳ４における通常の選局処理とが並列的に実行される。このように、番組情報データベースに記載された映像信号種別に関する情報を用いた画像処理と選局処理とを並列的に行うことにより、ユーザの選局動作から安定した映像の表示までの時間を短縮することができる。【選択図】図５
2008048250.tif 000002
【特許請求の範囲】
【請求項１】
デジタルテレビジョン放送の電波から所定の周波数の変調信号を選局し、該変調信号を復調してトランスポートストリームを出力するデジタルチューナ部と、
上記トランスポートストリームをビデオストリームおよび付加データに分離する分離部と、
上記ビデオストリームを復号し、映像信号を出力するデコーダと、
上記映像信号に対して所定の画像処理を施す映像処理部と、
上記付加データから、放送される番組の映像信号種別に関する情報を含む番組情報を取得し、該番組情報に基づき番組情報データベースを生成する制御部と、
上記番組情報データベースを記憶する記憶部と
を有し、
上記制御部は、
上記デジタルチューナ部および上記分離部による処理と並行して、上記番組情報データベースを参照して取得した映像信号種別に基づく画像処理を行うように制御する
ことを特徴とする受信装置。
【請求項２】
請求項１に記載の受信装置において、
上記制御部は、
番組の選局操作に基づき上記番組情報データベースを参照して、上記選局された番組に対応する番組情報が存在するかどうかを検索する
ことを特徴とする受信装置。
【請求項３】
請求項１に記載の受信装置において、
上記ビデオストリームのヘッダに格納された該ビデオストリームの映像信号種別と、上記番組情報データベースに記載された上記ビデオストリームに対応する番組情報の映像信号種別とが比較され、比較の結果、それぞれの映像信号種別が互いに異なる場合には、上記映像処理部は、上記ビデオストリームのヘッダに格納されている映像信号種別に基づき画像処理を行う
ことを特徴とする受信装置。
【請求項４】
請求項１に記載の受信装置において、
上記映像信号種別は、対応する映像信号の解像度およびアスペクト比を含む
ことを特徴とする受信装置。
【請求項５】
デジタルテレビジョン放送の電波から所定の周波数の変調信号を選局し、該変調信号を復調してトランスポートストリームを出力するチューニングステップと、
上記トランスポートストリームをビデオストリームおよび付加データに分離する分離ステップと、
上記ビデオストリームを復号し、映像信号を出力するデコードステップと、
上記映像信号に対して所定の画像処理を施す映像処理ステップと、
上記付加データから、放送される番組の映像信号種別に関する情報を含む番組情報を取得し、該番組情報に基づき番組情報データベースを生成する制御ステップと、
上記番組情報データベースを記憶する記憶ステップと
を有し、
上記制御ステップは、
上記チューニングステップおよび上記分離ステップによる処理と並行して、上記番組情報データベースを参照して取得した映像信号種別に基づく画像処理を行うように制御する
ことを特徴とする受信方法。
【発明の詳細な説明】
【技術分野】
【０００１】
この発明は、例えばデジタルテレビジョン放送を受信可能な受信装置および受信方法に関する。
【背景技術】
【０００２】
全国で地上デジタルテレビジョン放送が開始され、地上デジタルテレビジョン放送のユーザが急速に増加している。それに伴い、地上デジタルテレビジョン放送対応のテレビジョン受像機や受信装置が急速に普及している。
【０００３】
地上デジタルテレビジョン放送の受信装置では、一般に、外部に接続されたアンテナから受信した地上デジタルテレビジョン放送の電波から所定の周波数の変調信号が選局され、復調処理などの所定の信号処理が施され、トランスポートストリーム（ＴＳ；Transport Stream）が得られる。そして、このＴＳに対して、必要に応じてスクランブルを解除するための処理が施され、フィルタリングが行われて映像や音声、必要なデータなどに分離され、映像や音声が復号されてユーザに提示されるようになっている。
【０００４】
このような地上デジタルテレビジョン放送に対応した受信装置が下記の非特許文献１に記載されている。
【０００５】
【非特許文献１】「デジタル放送受信装置  標準規格  ＡＲＩＢ  ＳＴＤ−Ｂ２１」  社団法人  電波産業会発行
【０００６】
地上デジタルテレビジョン放送では、アナログテレビジョン放送と異なり、放送局やチャンネル、視聴時間帯に応じて解像度やアスペクト比などの映像信号種別を柔軟に変更することができる。そのため、地上デジタルテレビジョン放送に対応するテレビジョン受像機や受信装置は、放送される映像信号種別の変更に動的に追従できることが要求される。
【０００７】
そこで、従来の受信装置は、送信設備から送出されたＴＳを受信して、デコードすることによって得られたＭＰＥＧ−２（Moving Picture Experts Group-2）方式によるビデオストリームのシーケンスヘッダに含まれている映像信号種別に関する情報に基づき、解像度やアスペクト比などを変更するようにしている。
【０００８】
また、地上デジタルテレビジョン放送に対応するテレビジョン受像機や受信装置には、画質改善を目的とした画像処理回路が搭載され、映像信号に対して高度な画像処理を施すことにより、映像の画質向上が図られている。この画像処理回路は、一般に、上述したシーケンスヘッダに含まれる、映像信号毎や種別毎に予め設定された情報に基づき、ノイズ除去や解像度変換、フレーム補間などのそれぞれの映像信号に適応する画像処理を施している。
【０００９】
このように、デコードされたビデオストリームに対して所定の画像処理を施し、画質の向上を図る技術が、下記の特許文献１に記載されている。
【００１０】
【特許文献１】特開２００５−１８４５６３号公報
【発明の開示】
【発明が解決しようとする課題】
【００１１】
ところで、上述した受信装置において、受信したＴＳに対するデコードや画像処理を行っている間は、映像が不安定となり、この映像を表示部などに表示させた場合には、映像が乱れた状態となってしまう。そこで、デコードや画像処理中の乱れた映像をユーザに対して見せないようにするため、一般に、受信装置は、デコードや画像処理中の映像を非表示とするミュート処理を行い、これらの処理が終了した時点で映像を表示するミュート解除処理を行うようにしている。
【００１２】
具体的には、例えば図７に示すように、時点Ａにおいて、ユーザが受信装置に設けられた操作部を操作して選局を行うと、受信装置では、デジタルチューナ部によるチューニングおよび復調、デスクランブラによるデスクランブル、ならびにデコーダによるデコードといった通常の選局処理が、斜線部で示す時点Ａから時点Ｂまでの区間で行われる。
【００１３】
この時点Ａから時点Ｂまでの区間では、ビデオストリームのデコードが完了しておらず、映像が出力されないため、表示部には乱れた映像が表示されてしまうことになる。そこで、表示部に乱れた映像が表示されることを防ぐため、時点Ａから時点Ｂまでの区間では、ミュート処理が施される。
【００１４】
そして、時点Ｂにおいてデコードが完了し、デコーダから映像信号が出力できるようになると、時点Ｃにおいて、ビデオストリームのシーケンスヘッダから映像信号種別を取得し、斜線部で示す時点Ｃから時点Ｄまでの区間では、この映像信号種別に基づき、映像処理部において映像信号に対する画像処理が行われる。
【００１５】
この時点Ｃから時点Ｄまでの区間においても、映像が乱れてしまい、安定した映像を出力することができないので、表示部に乱れた映像が表示されてしまうことになる。そこで、表示部に乱れた映像が表示されることを防ぐため、時点Ｃから時点Ｄまでの区間では、再度ミュート処理を行うようにする。
【００１６】
時点Ｄにおいて画像処理が完了し、安定した映像の表示ができるようになると、ミュート解除処理が行われ、表示部には、選局後の安定した映像が表示される。
【００１７】
このように、従来、映像信号種別が変化するような選局を行った場合には、選局動作からデコードが完了する時点までの区間と、映像信号に対する画像処理が行われる区間とにおいては、映像が乱れてしまうため、ミュート処理を施すことにより、表示部には何も表示されないようにしている。そのため、ユーザが選局してから安定して映像を表示できるまでの時間がアナログテレビジョン放送に比べて長くなってしまうという問題点があった。
【００１８】
この問題は、多くのユーザに対して地上デジタルテレビジョン放送の視聴を不快にさせるものであり、地上デジタルテレビジョン放送に対応するテレビジョン受像機や受信装置の普及の障害ともなりつつある。
【００１９】
したがって、この発明の目的は、選局されてから映像を表示するまでの時間を短縮することができる受信装置および受信方法を提供することにある。
【課題を解決するための手段】
【００２０】
上述した課題を解決するために、第１の発明は、デジタルテレビジョン放送の電波から所定の周波数の変調信号を選局し、変調信号を復調してトランスポートストリームを出力するデジタルチューナ部と、トランスポートストリームをビデオストリームおよび付加データに分離する分離部と、ビデオストリームを復号し、映像信号を出力するデコーダと、映像信号に対して所定の画像処理を施す映像処理部と、付加データから、放送される番組の映像信号種別に関する情報を含む番組情報を取得し、番組情報に基づき番組情報データベースを生成する制御部と、番組情報データベースを記憶する記憶部とを有し、制御部は、デジタルチューナ部および分離部による処理と並行して、番組情報データベースを参照して取得した映像信号種別に基づく画像処理を行うように制御することを特徴とする受信装置である。
【００２１】
また、第２の発明は、デジタルテレビジョン放送の電波から所定の周波数の変調信号を選局し、変調信号を復調してトランスポートストリームを出力するチューニングステップと、トランスポートストリームをビデオストリームおよび付加データに分離する分離ステップと、ビデオストリームを復号し、映像信号を出力するデコードステップと、映像信号に対して所定の画像処理を施す映像処理ステップと、付加データから、放送される番組の映像信号種別に関する情報を含む番組情報を取得し、番組情報に基づき番組情報データベースを生成する制御ステップと、番組情報データベースを記憶する記憶ステップとを有し、制御ステップは、チューニングステップおよび分離ステップによる処理と並行して、番組情報データベースを参照して取得した映像信号種別に基づく画像処理を行うように制御することを特徴とする受信方法である。
【００２２】
上述したように、第１および第２の発明では、記憶部に予め記憶された番組情報データベースに記載された映像信号種別に基づいて画像処理を行うようにしているため、チューニングステップおよび分離ステップによる処理と並行して、映像処理ステップによる画像処理が行われる。
【発明の効果】
【００２３】
この発明は、デジタルテレビジョン放送の電波からビデオストリームや付加データといったデータを取得する選局処理と、映像信号に対して所定の画像処理を施す画像処理とを並列的に行うようにしているため、選局から映像の表示までに要する時間を短縮させることができるという効果がある。
【発明を実施するための最良の形態】
【００２４】
以下、この発明の実施の一形態について説明する。この発明の実施の一形態では、解像度やアスペクト比などの映像信号種別を受信装置に予め記憶させておき、選局処理を行う際に、この映像信号種別に関する情報に基づいて画像処理を並列的に行い、映像の表示に要する時間を短縮するようにしている。なお、以下では、地上デジタルテレビジョン放送を受信可能な受信装置を例にとって説明する。
【００２５】
先ず、この発明の実施の一形態による受信装置１の一例の構成について、図１を参照して説明する。受信装置１は、デジタルチューナ部１２、デスクランブラ１３、分離部としてのＤｅＭＵＸ（デマルチプレクサ：De-MUltipleXer）部１４、デコーダ１５、制御部としてのＣＰＵ（Central Processing Unit）１６、ＲＯＭ（Read Only Memory）１７、ＲＡＭ（Random Access Memory）１８、操作部１９、記憶部２０、映像処理部２１、音声処理部２２、画面生成部２３および合成部２４がバス１０を介して接続されている。
【００２６】
受信装置１は、外部に接続されたアンテナ１１により、図示されない放送設備から送信された地上デジタルテレビジョン放送の電波を受信する。そして、受信した地上デジタルテレビジョンの電波をデジタルチューナ部１２に供給する。
【００２７】
デジタルチューナ部１２は、アンテナ１１を介して供給される地上デジタルテレビジョン放送の電波から所定の周波数の変調信号を選局する。そして、選局された変調信号に対して復調処理や誤り訂正処理などの所定の信号処理を施しトランスポートストリーム（ＴＳ；Transport Stream）を出力する。デスクランブラ１３は、供給されたＴＳに対して、必要に応じてスクランブルを解除するための処理を施し、スクランブルが解除されたＴＳを出力する。
【００２８】
ＤｅＭＵＸ部１４は、供給されたＴＳについて、ＴＳパケットのヘッダ部に格納された、それぞれのパケットを識別するためのＰＩＤ（Packet IDentification）の値に基づきフィルタリングを行い、多重されたＴＳの中からビデオストリームやオーディオストリームなどの必要なストリームを取り出し、デコーダ１５に供給する。また、ＤｅＭＵＸ部１４は、ＴＳから抽出された、ＥＩＴ（Event Information Table）と呼ばれる番組情報が記述されたテーブルをＣＰＵ１６に供給する。なお、ＥＩＴの詳細については、後述する。
【００２９】
デコーダ１５は、ビデオストリーム、オーディオストリームおよび付加データに対してそれぞれ復号処理を施し、映像信号、音声信号および付加データを出力する。復号された映像信号は、映像処理部２１に供給される。また、復号された音声信号は、音声処理部２２に供給される。さらに、復号された付加データは、画面生成部２１に供給される。
【００３０】
映像処理部２１は、供給された映像信号に対してノイズ除去や解像度変換、フレーム補間などの所定の画像処理を施し、合成部２４に供給する。なお、この例において画像処理とは、例えば、復号するビデオストリームの解像度やアスペクト比等のパラメータ設定や、設定されたパラメータに基づく処理、ＬＣＤなどの表示部２５の解像度にあわせた処理等を含むものとする。また、音声処理部２２は、供給された音声信号に対して所定の音声処理を施し、音声出力部２４に供給し、供給された音声信号が音声出力部２４から出力される。
【００３１】
操作部１９は、例えばリモートコントロールコマンダーからなり、所定の日時の番組表の表示を指示する情報やチャンネル選局時における選局情報などが出力される。操作部１９から出力された情報は、ＣＰＵ１６に供給される。
【００３２】
ＣＰＵ１６は、ＲＯＭ１７に予め格納されたプログラムに従い、ＲＡＭ１８をワークメモリとしてバス１０に接続された各部を制御する。また、ＣＰＵ１６は、操作部１９からの選局情報に基づき、所定の周波数の信号を選択するようデジタルチューナ部１２やＤｅＭＵＸ部１４を制御する。さらに、ＣＰＵ１６は、ＤｅＭＵＸ部１４から供給されたＥＩＴに基づき番組情報データベースを作成し、記憶部２０に供給する。番組情報データベースの詳細については、後述する。なお、ＣＰＵ１６は、ＤｅＭＵＸ部１４から供給されたＥＩＴをそのまま記憶部２０に供給し、記憶させるようにしてもよい。
【００３３】
記憶部２０は、ＣＰＵ１６から供給されたＥＩＴや番組情報データベースなどの各種情報を記憶する。記憶部２０としては、ＥＥＰＲＯＭ（Electrically Erasable and Programmable ROM）などの不揮発性メモリを用いることができる。
【００３４】
画面生成部２３は、デコーダ１５から供給される付加データや記憶部２０に記憶されたＥＩＴに基づき、ＯＳＤ（On Screen Display）表示画面を生成する。また、ユーザによる操作部１９への操作に基づき、メニュー画面や番組表の表示画面などの設定画面を生成する。生成されたＯＳＤ表示画面や設定画面は、合成部２４に供給される。
【００３５】
合成部２４は、例えばＯＳＤ処理により、映像処理部２１からから供給される映像信号と画面生成部２３から供給されるＯＳＤ表示画面や設定画面とを合成し、表示部２５に供給する。なお、画面生成部２３からＯＳＤ表示画面や設定画面が供給されない場合、合成部２４は、映像処理部２１から供給された映像信号をそのまま表示部２５に供給する。表示部２５としては、例えば、ＣＲＴ（Cathode Ray Tube）やＬＣＤ（Liquid Crystal Display）を用いることができる。
【００３６】
次に、この発明の実施の一形態に適用可能な番組情報データベースについて説明する。番組情報データベースは、ＴＳに含まれるＥＩＴと呼ばれる番組に関する情報が記述されたテーブルに基づき作成される。
【００３７】
先ず、番組情報データベースに用いられるＥＩＴについて説明する。ＭＰＥＧ−２システムズ（MPEG-2 Systems）に規定されるＴＳには、例えばＥＰＧ（Electronic Program Guide）情報を表示する場合に用いられるＳＩ（Service Information）と呼ばれる番組配列情報がある。ＳＩは、番組やサービスの情報を記述したセクション形式のデータで構成され、このＳＩには、番組に関する情報が記載されたＥＩＴが設けられている。
【００３８】
ＥＩＴは、各サービスに含まれる番組のタイトルや放送日時、内容の説明など、番組に関する情報が記述されたテーブルである。このＥＩＴは、ＥＩＴ［ｐ／ｆ］およびＥＩＴ［ｓｃｈｅｄｕｌｅ］に分類される。ＥＩＴ［ｐ／ｆ］は、現在放送中の番組とその次に放送される番組との番組情報が記載されたものである。ＥＩＴ［ｓｃｈｅｄｕｌｅ］は、所定の期間、例えば１週間先までの番組情報が記載されたものである。なお、以下では、ＥＩＴ［ｐ／ｆ］およびＥＩＴ［ｓｃｈｅｄｕｌｅ］を総称したものをＥＩＴと称して説明する。
【００３９】
図２に示すように、ＥＩＴは、番組のタイトルや放送日時、内容の説明などの番組に関する情報を指示する構造となっている。ここでは、関係の深い部分について説明する。「ｔａｂｌｅ＿ｉｄ」は、セクションが属するテーブルを識別するために割り当てられたテーブル識別を示す。「ｓｅｒｖｉｃｅ＿ｉｄ」は、サービス毎にそれぞれのサービスを識別するために割り当てられたサービス識別を示す。「ｅｖｅｎｔ＿ｉｄ」は、ｓｅｒｖｉｃｅ＿ｉｄ内で一意的に割り当てられた対象イベントのＩＤ（IDentification）を示す。「ｓｔａｒｔ＿ｔｉｍｅ」は、番組の開始時刻を示す。「ｄｕｒａｔｉｏｎ」は、番組の継続時間を示す。
【００４０】
また、ＥＩＴには、映像や音声などを構成する要素を示すコンポーネントに関するコンポーネント記述子が配置されており、このコンポーネント記述子に映像の解像度やアスペクト比、音声モードなどに関する情報が記載されている。コンポーネント記述子には、例えばストリームの種別を示すコンポーネント内容と、映像や音声、データといったコンポーネントの種別を規定するコンポーネント種別とが記述されている。これら２つの記述により、コンポーネントの符号化の形式を判断することができる。
【００４１】
図３に示すように、映像信号の解像度やアスペクト比は、このコンポーネント内容およびコンポーネント種別の値に応じて決定される。例えば、コンポーネント内容が「０ｘ０１」である場合には、ビデオストリームであることを示し、「０ｘ０２」である場合には、オーディオストリームであることを示す。そして、それぞれのコンポーネント内容に対応してコンポーネント種別が規定されている。
【００４２】
例えば、コンポーネント内容が「０ｘ０１」であり、コンポーネント種別が「０ｘＢ１」である場合、このストリームがビデオストリームであり、解像度が「１０８０ｉ（ｉはインターレース）」、アスペクト比が「４：３」であることを示す。なお、図３では、一例として、地上デジタルテレビジョン放送で指定可能な記述のみを示している。また、それぞれの値の前に示された「０ｘ」は、その値が１６進数で表記されていることを示す。
【００４３】
番組情報データベースは、例えば図４に示すように、番組のサービス識別（ｓｅｒｖｉｃｅ＿ｉｄ）および時間（ｓｔａｒｔ＿ｔｉｍｅおよびｄｕｒａｔｉｏｎ）に対して解像度やアスペクト比などの映像信号種別が関連付けられており、サービス識別および時間を指定することにより、その番組の映像信号種別が検索できるようになっている。
【００４４】
項目「サービス識別」には、上述したＥＩＴに含まれる「ｓｅｒｖｉｃｅ＿ｉｄ」の値が記載されている。項目「時間」には、ＥＩＴに含まれる「ｓｔａｒｔ＿ｔｉｍｅ」および「ｄｕｒａｔｉｏｎ」の記述に基づき、番組の日付、開始時刻および継続時間が記載されている。項目「映像信号種別」には、画像処理の際に用いられる映像信号種別が記載されている。この項目には、例えば、ＥＩＴにおいてコンポーネント記述子で記載されている解像度やアスペクト比といった情報が記載される。例えば、この番組情報データベースから、サービス識別が「０ｘ０４００」であり「２００６年８月１日２１：００」に開始する番組は、解像度が「１０８０ｉ」であり、アスペクト比が「１６：９」であるということが判断できる。
【００４５】
このように、取得したＥＩＴに基づき番組情報データベースを作成し、記憶させておくことにより、現在放送されている番組の映像信号種別だけでなく、将来放送される予定の番組の映像信号種別を予め取得しておくことができる。
【００４６】
なお、例えば、１つの番組が複数の映像コンポーネントで構成されている場合などは、ＥＩＴに複数のコンポーネント記述子が配置されている。このような場合には、最初に提示する予定の映像コンポーネントに対するコンポーネント記述子を取得すると好ましい。
【００４７】
また、上述では、ＥＩＴに基づき番組情報データベースを作成するようにしたが、これはこの例に限られない。例えば、ＥＩＴをそのまま記憶部２０に記憶させて番組情報データベースとしてもよい。すなわち、番組情報データベースとしては、サービス識別と番組の日時を指定することによって映像信号種別を検索することが可能であれば、どのような形式でもよい。
【００４８】
次に、この発明の実施の一形態による受信装置１における受信方法について説明する。図５は、この発明の実施の一形態による受信装置１における受信方法の処理の流れを示すフローチャートである。
【００４９】
先ず、ユーザが操作部１９を操作して、選局動作を行うと、ステップＳ１において、ＣＰＵ１６は、サービス識別および番組の日時に基づき、記憶部２０に記憶されている番組情報データベースの中から選局された番組に関する番組情報が保持されているかどうかを検索する。検索の結果、対象となる番組の番組情報が保持されている場合には、処理がステップＳ２およびステップＳ５に移行する。
【００５０】
ステップＳ２において、ＣＰＵ１６は、記憶部２０に記憶されている番組情報データベースの中から、検索によって適合した番組の解像度およびアスペクト比といった映像信号種別を抽出する。ステップＳ３において、ＣＰＵ１６は、ステップＳ２で抽出された映像信号種別に記載されている解像度およびアスペクト比に基づき、デコーダ１５の出力である映像信号の解像度およびアスペクト比を設定して、デコーダ１５の出力のフォーマットを変更する。このとき、表示部２５には、乱れた映像が表示されてしまうため、画像処理の実行前には、映像を非表示とするミュート処理を施し、画像処理が完了した後には、ミュート解除処理を施す。
【００５１】
また、ステップＳ４では、上述のステップＳ２およびステップＳ３の処理と並行して、通常の選局処理を行う。デジタルチューナ部１２は、アンテナ１１を介して供給された電波からユーザの選局動作に対応した周波数の変調信号を選局し、変調信号に対して復調処理などの所定の信号処理を施し、ＴＳを出力する。そして、デスクランブラ１３は、ＴＳに対してスクランブルを解除するための処理を施し、ＤｅＭＵＸ部１４は、フィルタリングを行い、ビデオストリームやオーディオストリームなどの必要なストリームを取り出す。なお、このとき、表示部２５には、乱れた映像が表示されてしまうため、選局処理の実行前には、ミュート処理を施す。
【００５２】
一方、ステップＳ１において、対象となる番組の番組情報が保持されていない場合には、処理がステップＳ５に移行する。ステップＳ５では、ステップＳ４に示す処理と同様の選局処理を行う。また、選局処理の実行前には、ミュート処理を施す。
【００５３】
ステップＳ６において、デコーダ１５は、ステップＳ４またはステップＳ５の選局処理によって得られたビデオストリームに対して復号処理を施し、映像信号を出力する。なお、ステップＳ３において、デコーダ１５の出力のフォーマットを変更している場合には、変更されたフォーマットに従って復号処理を施す。また、ＣＰＵ１６は、ビデオストリームのシーケンスヘッダから映像信号種別に関する情報を取得する。
【００５４】
ステップＳ７において、ＣＰＵ１６は、シーケンスヘッダに記載された映像信号種別と、番組情報データベースに記載された対象となる番組の映像信号種別とを比較する。比較の結果、シーケンスヘッダに記載された映像信号種別と対象番組の映像信号種別とが一致した場合には、処理がステップＳ８に移行する。
【００５５】
ステップＳ８において、映像処理部２１は、変更されたフォーマットに従い、映像信号種別に基づく画像処理を行う。そして、映像処理部２１から画像処理が施された映像信号が出力されると、ミュート解除処理が行われ、表示部２５に映像が表示され、処理が終了する。
【００５６】
一方、ステップＳ７において、シーケンスヘッダに記載された映像信号種別と対象番組の映像信号種別とが異なる場合には、処理がステップＳ９に移行する。ステップＳ９において、映像処理部２１は、シーケンスヘッダに記載された映像信号種別に基づき画像処理を行う。また、ステップＳ４と同様に、画像処理の実行前に映像を非表示とするミュート処理を行い、画像処理が完了した後にミュート解除処理を行う。そして、表示部２５に映像が表示され、処理が終了する。
【００５７】
なお、ステップＳ３で行われるフォーマットの変更は、番組情報データベースに記載されている映像信号種別に基づくものであり、あくまでも予定されていた番組に変更がないと仮定している。また、番組情報データベースに記載されている映像信号種別に関する情報は、対象となる番組が放送される以前に送出されたＥＩＴに基づくものであるため、例えば、このＥＩＴの送出後で、放送前に番組に対して変更があった場合は、反映されていない。そのため、このＥＩＴに基づく番組情報データベースを用いてフォーマットの変更を行うと、記載されている映像信号種別と、変更後の番組の映像信号種別とが異なってしまう場合が考えられる。したがって、番組に変更などがあった場合には、その番組のビデオストリームのシーケンスヘッダに記載されている映像信号種別が正確であるので、このシーケンスヘッダの映像信号種別に基づき画像処理を施す。
【００５８】
このように、この発明の実施の一形態では、予め記憶部２０に記憶された番組情報データベースに記載された映像信号種別に関する情報を用いた画像処理と、選局処理とを並列的に行うようにしている。こうすることにより、ユーザの選局動作から安定した映像の表示までの時間を短縮することができる。
【００５９】
図６Ａは、この発明の実施の一形態による受信方法を適用した場合における、選局から映像の表示までのミュート処理のタイミングの一例を示す。なお、この発明の実施の一形態に対する理解を深めるため、従来の受信装置による受信方法を適用した場合における、選局から映像の表示までのミュート処理のタイミングの一例を参考として図６Ｂに示す。
【００６０】
上述の受信方法を適用した場合の動作をより具体的に説明すると、例えば、図６Ａに示すように、時点Ａにおいて、ユーザが受信装置１に設けられた操作部１９を操作して選局を行うと、受信装置１では、デジタルチューナ部１２によるチューニングおよび復調、デスクランブラ１３によるデスクランブル、ＤｅＭＵＸ部１４によるデマルチプレックス、といった通常の選局処理と、デコーダ１５によるデコードとが、斜線部で示す時点Ａから時点Ｂまでの区間で行われる。
【００６１】
この時点Ａから時点Ｂまでの区間では、ビデオストリームのデコードが完了しておらず、映像が出力されないため、表示部には乱れた映像が表示されてしまうことになる。そこで、表示部に乱れた映像が表示されることを防ぐため、時点Ａから時点Ｂまでの区間では、ミュート処理が施される。
【００６２】
また、上述の選局処理と並行して、時点Ｃにおいて番組情報データベースから対象番組の解像度やアスペクト比といった映像信号種別に関する情報を取得する。そして、斜線部で示す時点Ｃから時点Ｄまでの区間では、この映像信号種別に関する情報に基づき、映像処理部２１による画像処理が行われる。
【００６３】
この時点Ｃから時点Ｄまでの区間においても、映像が乱れてしまい、安定した映像を出力することができないので、表示部に乱れた映像が表示されてしまうことになる。そこで、表示部に乱れた映像が表示されることを防ぐため、時点Ｃから時点Ｄまでの区間では、ミュート処理を行うようにする。そして、時点Ｄにおいてデコードが完了し、安定した映像の表示ができるようになると、ミュート解除処理が行われ、表示部２５には、選局後の安定した映像が表示される。
【００６４】
なお、映像処理部２１による画像処理は、並列的に処理が行われている選局処理に比べて、短時間で完了する場合が多いと考えられるので、選局処理中に画像処理が完了する。そのため、ミュート処理を施す時間は、実質的に時点Ａから時点Ｂまでの区間のみとなり、時点Ｂにおいて、表示部２５に映像が表示される。
【００６５】
一方、従来の受信装置では、図６Ｂに示すように、選局処理と画像処理とが並列的に行われないため、選局処理中である時点Ａから時点Ｂまでの区間と、画像処理中である時点Ｃ’から時点Ｄ’までの区間とにおいて、それぞれミュート処理が必要となってしまい、時点Ｄ’で映像を表示できるようになる。
【００６６】
したがって、この発明の実施の一形態による受信装置を用いることにより、従来の受信装置における時点Ｃ’から時点Ｄ’までの区間のミュート処理による時間を短縮することができるため、従来の受信装置に比べて、ユーザによる選局動作から安定した映像を表示する時間を短縮することができる。
【００６７】
以上、この発明の実施の一形態について説明したが、この発明は、上述したこの発明の実施の一形態に限定されるものではなく、この発明の要旨を逸脱しない範囲内で様々な変形や応用が可能である。この発明の実施の一形態では、画像処理を実行する際に使用した番組情報データベースは、ＥＩＴに含まれている映像信号種別に関する情報を利用して作成したが、これはこの例に限られない。例えば、サービス（編成チャンネル）毎に、前回の選局時にシーケンスヘッダから取得した内容を記憶部２０に記憶させ、次回以降それを利用するようにしてもよい。こうすることにより、ＥＩＴが送出されないような放送形式にも適用することができる。
【００６８】
また、この場合、放送に限らず、例えば外部から入力された映像データに対しても適用できる。具体的には、例えば、受信装置１に対して、新たにコンポーネント入力端子やＨＤＭＩ（High Definition Multimedia Interface）入力端子などの外部入力端子を設け、解像度などの映像種別が変わるような映像データをこの外部入力から入力した場合にも、この実施の一形態を適用することができる。
【００６９】
さらに、例えば、番組情報データベースと前回選局時のシーケンスヘッダの内容とをあわせて利用することもできる。例えば、番組情報データベースに記載された映像信号種別およびシーケンスヘッダに記載された映像信号種別を記憶部２０に記憶させ、番組情報データベースの映像信号種別およびシーケンスヘッダの映像信号種別のうち、一方の映像信号種別が記憶されていない場合には、他方の映像信号種別を利用して、選局処理と並列的に画像処理を実行するようにしてもよい。また、両方の映像信号種別が存在しているが、その内容が異なる場合には、選局処理と並列的に画像処理を実行しないようにするようにしてもよい。
【００７０】
また、例えば、上述で説明した地上デジタルテレビジョン放送方式に限らず、ＢＳ（Broadcasting Satellite）デジタルテレビジョン放送やＣＳ（Communication Satellite）デジタルテレビジョン放送などの衛星デジタルテレビジョン放送方式にも適用可能である。
【図面の簡単な説明】
【００７１】
【図１】この発明の実施の一形態による受信装置の一例の構成を示すブロック図である。
【図２】ＥＩＴのデータ構造を示す略線図である。
【図３】ＥＩＴに配置されるコンポーネント記述子による記述内容を示す略線図である。
【図４】この発明の実施の一形態に適用可能な番組情報データベースの一例を示す略線図である。
【図５】この発明の実施の一形態による受信装置における受信方法の処理の流れを示すフローチャートである。
【図６】この発明の実施の一形態による受信方法を適用した場合における、選局から映像の表示までのミュート処理のタイミングの一例を示す略線図である。
【図７】従来の受信装置の受信方法を適用した場合における、選局から映像の表示までのミュート処理のタイミングの一例を示す略線図である。
【符号の説明】
【００７２】
１１  アンテナ
１２  デジタルチューナ部
１３  デスクランブラ
１４  ＤｅＭＵＸ部
１５  デコーダ
１６  ＣＰＵ
１９  操作部
２０  記憶部
２１  映像処理部
２２  音声処理部
２５  表示部
２６  音声出力部
【図１】
2008048250.tif 000003
【図２】
2008048250.tif 000004
【図３】
2008048250.tif 000005
【図４】
2008048250.tif 000006
【図５】
2008048250.tif 000007
【図６】
2008048250.tif 000008
【図７】
2008048250.tif 000009